(57)【特許請求の範囲】
【請求項１】
所定の形状からなる一群の微小な基本色要素ｅが隙間なく交互に配置された所望の階調を表現することのできる単位画素Ｅによって構成された色表示面Ｏにおいて、カラー入力画像の任意の座標点Ｐにおける色情報に対応するフルカラー色空間Ｆ内の色座標点Ｃ（Ｐ）との距離によって示される色差△Ｅが最小となるように、単位画素Ｅが構築する有限個の色座標点を持つ色空間Ｌ内で近似的な色座標点Ｅ（Ｐ）を求め、前記Ｅ（Ｐ）の色座標値を色表示面Ｏ上に表示可能な基本色要素ｅの布置として展開し、基本色要素ｅの布置を除く色表示面Ｏの領域に通常の状態では無色透明で所定の視認条件のもとで下地となる基本色要素ｅを隠蔽する色材Ｚを付与することによって、任意の階調をもったカラー画像を色材Ｚの特性に応じた所定の視認条件のもとで再現、表示せしめることを特徴とする画像表示方法。
【請求項２】
所定の形状からなる一群の微小な基本色要素ｅが隙間なく交互に配置された所望の階調を表現することのできる単位画素Ｅによって構成された色表示面Ｏにおいて、カラー入力画像の任意の座標点Ｐにおける色情報に対応するフルカラー色空間Ｆ内の色座標点Ｃ（Ｐ）との距離によって示される色差△Ｅが最小となるように、単位画素Ｅが構築する有限個の色座標点を持つ色空間Ｌ内で近似的な色座標点Ｅ（Ｐ）を求め、前記Ｅ（Ｐ）の色座標値を色表示面Ｏ上に表示可能な基本色要素ｅの布置として展開し、基本色要素ｅの布置からなる色表示面Ｏの領域に通常の状態では無色透明で所定の視認条件のもとで下地となる基本色要素ｅのみを表示する色材Ｚを付与することによって、任意の階調をもったカラー画像を色材Ｚの特性に応じた所定の視認条件のもとで再現、表示せしめることを特徴とする画像表示方法。
【請求項３】
請求項１記載の表示方法によって、色表示面Ｏ上の互いに独立する二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と同一の形状をもったカラー画像を前記カラー画像と同一の色調で再現、表示せしめることを特徴とする画像表示方法。
【請求項４】
請求項１記載の表示方法によって、色表示面Ｏ上の一部の領域が共有された互いに異なる二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と同一の形状をもったカラー画像を前記カラー画像と同一の色調で再現、表示せしめることを特徴とする画像表示方法。
【請求項５】
請求項１記載の表示方法によって、色表示面Ｏ上の所定の領域に、任意の階調をもったカラー画像を再現、表示せしめ、且つ、請求項２記載の表示方法によって、色表示面Ｏ上の前記領域と同一の領域に、前記カラー画像と同一の形状をもったカラー画像を前記カラー画像と同一の色調で再現、表示せしめることを特徴とする画像表示方法。
【請求項６】
請求項１記載の表示方法によって、色表示面Ｏ上の互いに独立する二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と同一の形状をもったカラー画像を前記カラー画像と異なる色調で再現、表示せしめることを特徴とする画像表示方法。
【請求項７】
請求項１記載の表示方法によって、色表示面Ｏ上の一部の領域が共有された互いに異なる二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と同一の形状をもったカラー画像を前記カラー画像と異なる色調で再現、表示せしめることを特徴とする画像表示方法。
【請求項８】
請求項１記載の表示方法によって、色表示面Ｏ上の所定の領域に、任意の階調をもったカラー画像を再現、表示せしめ、且つ、請求項２記載の表示方法によって、色表示面Ｏ上の前記領域と同一の領域に、前記カラー画像と同一の形状をもったカラー画像を前記カラー画像と異なる色調で再現、表示せしめることを特徴とする画像表示方法。
【請求項９】
請求項１記載の表示方法によって、色表示面Ｏ上の互いに独立する二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と異なる形状をもったカラー画像を前記カラー画像と同一の色調で再現、表示せしめることを特徴とする画像表示方法。
【請求項１０】
請求項１記載の表示方法によって、色表示面Ｏ上の一部の領域が共有された互いに異なる二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と異なる形状をもったカラー画像を前記カラー画像と同一の色調で再現、表示せしめることを特徴とする画像表示方法。
【請求項１１】
請求項１記載の表示方法によって、色表示面Ｏ上の互いに独立する二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と異なる形状をもったカラー画像を前記カラー画像と異なる色調で再現、表示せしめることを特徴とする画像表示方法。
【請求項１２】
請求項１記載の表示方法によって、色表示面Ｏ上の一部の領域が共有された互いに異なる二つの領域のいずれか一方の領域に、任意の階調をもったカラー画像を再現、表示せしめ、且つ、請求項２記載の表示方法によって、色表示面Ｏ上の前記二つの領域のうちの他方の領域に、前記カラー画像と異なる形状をもったカラー画像を前記カラー画像と異なる色調で再現、表示せしめることを特徴とする画像表示方法。
【請求項１３】
請求項１記載の表示方法によって、色表示面Ｏ上に特定の階調をもったカラー画像を所定の視認条件のもとで再現、表示せしめることを特徴とする画像表示体。
【請求項１４】
請求項２記載の表示方法によって、色表示面Ｏ上に特定の階調をもったカラー画像を所定の視認条件のもとで再現、表示せしめることを特徴とする画像表示体。
【請求項１５】
請求項３記載の表示方法によって、色表示面Ｏ上の互いに独立する二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と同一の形状をもったカラー画像を前記視認条件と異なる視認条件のもとで前記カラー画像と同一の色調で再現、表示せしめることを特徴とする画像表示体。
【請求項１６】
請求項４記載の表示方法によって、色表示面Ｏ上の一部の領域が共有された互いに異なる二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と同一の形状をもったカラー画像を前記視認条件と異なる視認条件のもとで前記カラー画像と同一の色調で再現、表示せしめることを特徴とする画像表示体。
【請求項１７】
請求項５記載の表示方法によって、色表示面Ｏ上の所定の領域に、特定の階調をもったカラー画像を所定の視認条件のもとで再現、表示せしめ、且つ、色表示面Ｏ上の前記領域と同一の領域に、前記カラー画像と同一の形状をもったカラー画像を前記視認条件と異なる視認条件のもとで前記カラー画像と同一の色調で再現、表示せしめることを特徴とする画像表示体。
【請求項１８】
請求項６記載の表示方法によって、色表示面Ｏ上の互いに独立する二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と同一の形状をもったカラー画像を前記視認条件と異なる視認条件のもとで前記カラー画像と異なる色調で再現、表示せしめることを特徴とする画像表示体。
【請求項１９】
請求項７記載の表示方法によって、色表示面Ｏ上の一部の領域が共有された互いに異なる二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と同一の形状をもったカラー画像を前記視認条件と異なる視認条件のもとで前記カラー画像と異なる色調で再現、表示せしめることを特徴とする画像表示体。
【請求項２０】
請求項８記載の表示方法によって、色表示面Ｏ上の所定の領域に、特定の階調をもったカラー画像を所定の視認条件のもとで再現、表示せしめ、且つ、色表示面Ｏ上の前記領域と同一の領域に、前記カラー画像と同一の形状をもったカラー画像を前記視認条件と異なる視認条件のもとで前記カラー画像と異なる色調で再現、表示せしめることを特徴とする画像表示体。
【請求項２１】
請求項９記載の表示方法によって、色表示面Ｏ上の互いに独立する二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と異なる形状をもったカラー画像を前記視認条件と異なる視認条件のもとで前記カラー画像と同一の色調で再現、表示せしめることを特徴とする画像表示体。
【請求項２２】
請求項１０記載の表示方法によって、色表示面Ｏ上の一部の領域が共有された互いに異なる二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と異なる形状をもったカラー画像を前記視認条件と異なる視認条件のもとで前記カラー画像と同一の色調で再現、表示せしめることを特徴とする画像表示体。
【請求項２３】
請求項１１記載の表示方法によって、色表示面Ｏ上の互いに独立する二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と異なる形状をもったカラー画像を前記視認条件と異なる視認条件のもとで前記カラー画像と異なる色調で再現、表示せしめることを特徴とする画像表示体。
【請求項２４】
請求項１２記載の表示方法によって、色表示面Ｏ上の一部の領域が共有された互いに異なる二つの領域のいずれか一方の領域に、特定の階調をもったカラー画像を所定の視認条件のもとで再現、表示せしめ、且つ、色表示面Ｏ上の前記二つの領域のうちの他方の領域に、前記カラー画像と異なる形状をもったカラー画像を前記視認条件と異なる視認条件のもとで前記カラー画像と異なる色調で再現、表示せしめることを特徴とする画像表示体。
【請求項２５】
請求項１３記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項２６】
請求項１４記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項２７】
請求項１５記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項２８】
請求項１６記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項２９】
請求項１７記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項３０】
請求項１８記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項３１】
請求項１９記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項３２】
請求項２０記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項３３】
請求項２１記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項３４】
請求項２２記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項３５】
請求項２３記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【請求項３６】
請求項２４記載の画像表示体を少なくとも一部に有するＩＤカード、通行証、登録証、入場券、出入国証などの身分、権利、資格などを証明する証書類及び紙幣、切手、印紙、株券、債券、商品券などの有価証券類。
【発明の詳細な説明】
【０００１】
【発明の属する技術分野】
本発明は、階調をもった任意の色調のカラー画像が潜像となるように埋め込まれた全体として一様な色調をもった色表示面から、使用された機能性色材の性質に応じた所定の視認条件のもとで、カラー画像を原稿と同様の色調となるように、又は、原稿と異なる色調となるように顕像として再現、表示せしめる技術に関するものである。
【０００２】
【従来の技術】
従来から、ＩＤカード、有価証券等の貴重印刷物の悪意の複製、偽造を困難とならしめるための方法として、特開昭５０―６４１０号、特開昭５４―１５９００４号、特開昭５５―５１０号、特開昭５５―３６８７１号、特開平５―２６２０８６号、実開昭６３―１９４３７１号、実公平１―３１５１１号、実公平７―５３９８７号、実登第３０２９２７３号などに示される如く、表示すべき画像の画素部分又は画素以外の部分を条件等色性（メタメリック）インキ、フォトクロミックインキ、示温インキ、無色蛍光インキ、赤外線発光インキなどの機能性色材を用いて印刷することで表示体上に潜像となるように情報を記録した上、使用した機能性色材の性質に応じて所定の光線や熱線を照射するなどして視認条件を変化させることによって、表示体上に記録されていた秘密情報を再現、表示させる方法が広く用いられてきた。
【０００３】
また、特開昭６３―１３３１８５号、特開平７―１３７３４９号、特開平８−３１０１０２号、特開平９−１５０５６９号などには、加熱手段や被覆シートを用いるなど所定の視認条件のもとで、所望の色彩をもった画像情報を表示体上に表示せしめる色画像の表示方法とその情報表示体について開示されている。
【０００４】
更に、あらかじめＲ（レッド）、Ｇ（グリーン）、Ｂ（ブルー）の三原色成分を希土類蛍光体等に埋め込んだシャドーマスクに対して、表示すべき階調をもった任意のカラー画像の色情報量に応じて電子線を照射することで、ディスプレイ上にＲ、Ｇ、Ｂの蛍光成分を発光させ、表示すべきカラー画像に関する電気信号を色要素の配置信号に変換してカラフルな画像をディスプレイ上に表示せしめるテレビジョンの原理が広く知られている。ディスプレイ上に表示される画像の表示色バランス、輝度レベルを調整、補正する方法等については、特開平７―１４０９４９号、特開平７―１６８５４９号、特開平７―２７４０１４号、特開平８―３０７６８号、特許第２５２２３６９号などに開示されている。
【０００５】
【発明が解決しようとする課題】
ところが、上記した従来からの技術を用いて得られた画像表示体では、顕像として表示されるべき画像の階調、色調が、印刷された色要素の形状、使用される印刷インキや被印刷基材の色調、あるいは、所定の視認条件のもとで発光、発色した機能性色材の色調によって少なからず制約されてしまい、所望の階調をもたせた任意の色調のカラー画像を潜像となるように表示体の内部に埋め込み、且つ、表示体上に印刷された機能性色材の性質に応じた所定の視認条件のもとで原稿と同様の色調となるように、又は、原稿と異なる色調となるように再現、表示せしめることによって、高度の偽造防止機能を付与することはできなかった。
【０００６】
このため、従来からの技術を用いて得られた画像表示体では、所定の視認条件のもとで顕像として表示することのできる画像情報の階調、色調、デザイン等が制約されざるを得ないので、十分な偽造防止効果が期待できない難点があった。
【０００７】
また、従来のテレビジョン方式による画像表示方法では、画像信号処理回路、電子線照射装置などの特殊な装置類を含むディスプレイ構成が必要とされ、その製造コストが相当に高価なものとならざるを得なかった。
【０００８】
そこで、本発明では、印刷という一般的で簡便な方法を用いて、所望の階調をもたせた任意の色調のカラー画像を通常の状態において潜像となるように表示体上に形成し、印刷された色要素の形状、使用される印刷インキや被印刷基材の種類、色調、あるいは、所定の視認条件のもとで発光、発色させた機能性色材の種類、色調に制約されることなく、所望の階調をもたせた任意の色調のカラー画像を原稿と同様の色調となるように、又は、原稿と異なる色調となるように顕像として再現、表示することのできる画像表示方法と画像表示体を開示することによって、より高度な偽造防止手段を提供することを目的としている。
【０００９】
【課題を解決するための手段】
本発明は、図１に示されるように、所定の形状からなる一群の微小な基本色要素ｅが隙間なく交互に配置された所望の階調を表現することのできる単位画素Ｅによって構成された色表示面Ｏにおいて、カラー入力画像の任意の座標点Ｐにおける色情報に対応するフルカラー色空間Ｆ内の色座標点Ｃ（Ｐ）との距離によって示される色差△Ｅが最小となるように、単位画素Ｅが構築する有限個の色座標点を持つ色空間Ｌ内で近似的な色座標点Ｅ（Ｐ）を求め、前記Ｅ（Ｐ）の色座標値を色表示面Ｏ上に表示可能な基本色要素ｅの布置として展開し、基本色要素ｅの布置を除く色表示面Ｏの領域に通常の状態では無色透明で所定の視認条件のもとで下地となる基本色要素ｅを隠蔽する色材Ｚを付与するか、あるいは、基本色要素ｅの布置からなる色表示面Ｏの領域に通常の状態では無色透明で所定の視認条件のもとで下地となる基本色要素ｅのみを表示する色材Ｚを付与することによって、任意の階調をもったカラー画像を色材Ｚの特性に応じた所定の視認条件のもとで再現、表示せしめる画像表示方法及び画像表示体、並びに、それらを用いたＩＤカード、通行証、登録証、入場券、出入国証などの身分、権利、資格などを証明する証書類及び紙幣、切手、印紙、株券、債券、商品券などの有価証券類に関するものであり、更には、複数の異なる種類の機能性色材を用いた複合的な画像表示方法及び画像表示体、並びに、それらを用いたＩＤカード、通行証、登録証、入場券、出入国証などの身分、権利、資格などを証明する証書類及び紙幣、切手、印紙、株券、債券、商品券などの有価証券類に関するものである。
【００１０】
なお、上述した「布置」という用語は、所定の視認条件のもとで任意の階調をもったカラー画像を所望の色調で再現、表示せしめるために、単位画素Ｅごとに所定の配置をもって存在せしめている基本色要素ｅの中から選択すべき基本色要素ｅの位置を特定することを意味する用語として用いられている。
【００１１】
【発明の実施の形態】
本発明では、肉眼で判別することのできない所定の形状の微小な基本色要素を隙間なく交互に配置することによって、あらかじめ全ての基本色要素を内在させた所望の階調を表現することのできる単位画素を形成する。この単位画素をオフセット印刷や凸版印刷等の通常の印刷方法、又は、レーザープリンター、ジェットプリンター、昇華転写等のいずれかの出力形態を用いて被印刷基材の表面上に隙間なく配置することによって、通常の状態で全体として一様な色調をもつが、たとえば、加熱手段を用いたり、あるいは、紫外線を照射するなど所定の視認条件のもとで、所望の階調をもった任意の色調のカラー画像を再現、表示することのできる色表示面を作製する。
【００１２】
この時の基本色要素には、単位画素によって構築される色空間の領域が色彩的に最大となるように、たとえばシアン（Ｃ）、マゼンタ（Ｍ）、イエロー（Ｙ）といった一般的な３要素が選択されるべきであるが、必要に応じて特徴をもった色再現を実現するために、当然にも任意の特定色を採用することが可能である。
【００１３】
次に、色座標点圧縮アルゴリズムによって、表示すべきカラー入力画像の任意の座標点における色情報に対応するフルカラー色空間内の色座標点との距離によって示される色差を最小とならしめるように、本発明の単位画素から構築される有限個の色座標点をもつ色空間内で近似的な色座標点を求め、色座標値展開アルゴリズムによって、この色座標点がもつ色座標値を色表示面で再現、表示することができるように単位画素ごとに基本色要素の布置として展開し、更に、基本色要素の布置を除く色表示面の領域に通常の状態で無色透明であるとともに所定の視認条件のもとで下地となる基本色要素を隠蔽する特性をもった色材を付与する。こうして、表示しようとするカラー画像の色情報に基いて、使用された機能性色材の性質に応じた所定の視認条件のもとでカラー画像を表示する際に不必要とされる基本色要素を単位画素ごとに除去することができる。
【００１４】
このうち、色座標点圧縮アルゴリズムでは、たとえば図５に示す演算処理を行うことでカラー入力画像の任意の座標点Ｐに対応する近似的な色座標点Ｅ（Ｐ）を求め、色座標値展開アルゴリズムでは、所定の視認条件のもとで表示すべきカラー画像に要求される階調、色調を実現できるように、所定の形状からなる一群の微小な基本色要素ｅが隙間なく交互に配置された単位画素Ｅ内で、カラー画像を再現、表示せしめる際に必要とされる基本色要素ｅを布置として展開すべく、単位画素Ｅ内で選択すべき基本色要素ｅの位置に関する所定の順序を定めた単純なシーケンシャルな方法によって、単位画素Ｅ内で布置すべき基本色要素ｅの位置を特定すればよい。
【００１５】
ここで、上記のアルゴリズムにしたがって本発明の表示体を得るためには、たとえば表示すべきカラー画像の分色版から合成されたカラー印刷版のネガ状態に相当する刷版を用いて、全ての基本色要素が内在された単位画素から構成される色表示面のうち、所定の視認条件のもとでカラー画像を原稿と同様の色調に、又は、原稿と異なる色調に再現、表示するために必要とされることのない領域に機能性色材を重ね刷りすればよい。
【００１６】
実際に使用される機能性色材は、太陽光、蛍光灯、白熱電球などの通常照明下では下地となる基本色要素が地色として表示されるように無色透明な状態を示すが、所定の視認条件のもとでは下地となる基本色要素が隠蔽される程度に白濁、又は、特定の色調に発色するものであればよく、例えば、特開昭５５―１５４１９８号、特開昭５７―８９９９２号、特開昭５７―９２３７０号、特開昭６２―２５７８８３号、特開平３―２００９３５号、特開平９―１２３６１１号、特開平９―１６９１８１号に開示されている熱履歴によって透明度が変化する可逆性の感熱記録材料、あるいは、熱線照射によって変色するサーモクロミック色材等を必要に応じて適宜、選択して用いればよい。
【００１７】
また、本発明においては、色座標点圧縮アルゴリズムによって、表示すべきカラー入力画像の任意の座標点における色情報に対応するフルカラー色空間内の色座標点との距離によって示される色差を最小とならしめるように、単位画素から構築される有限個の色座標点をもつ色空間内で近似的な色座標点を求め、色座標値展開アルゴリズムによって、この色座標点がもつ色座標値を色表示面で再現、表示することができるように単位画素ごとに基本色要素の布置として展開し、更に、基本色要素の布置からなる色表示面の領域に通常の状態で無色透明であるとともに所定の視認条件のもとで下地となる基本色要素のみを表示する特性をもった色材を付与することにより、表示しようとするカラー画像の色情報に基いて、使用された機能性色材の性質に応じた所定の視認条件のもとでカラー画像を表示する際に必要とされる基本色要素のみを単位画素ごとに抽出して表示することができる。
【００１８】
このうち、色座標点圧縮アルゴリズムでは、たとえば図５に示す演算処理を行うことでカラー入力画像の任意の座標点Ｐに対応する近似的な色座標点Ｅ（Ｐ）を求め、色座標値展開アルゴリズムでは、所定の視認条件のもとで表示すべきカラー画像に要求される階調、色調を実現できるように、所定の形状からなる一群の微小な基本色要素ｅが隙間なく交互に配置された単位画素Ｅ内で、カラー画像を再現、表示せしめる際に必要とされる基本色要素ｅを布置として展開すべく、単位画素Ｅ内で選択すべき基本色要素ｅの位置に関する所定の順序を定めた単純なシーケンシャルな方法によって、単位画素Ｅ内で布置すべき基本色要素ｅの位置を特定すればよい。
【００１９】
ここで、上記のアルゴリズムにしたがって本発明の表示体を得るためには、たとえば表示すべきカラー画像の分色版から合成されたカラー印刷版のポジ状態に相当する刷版を用いて、全ての基本色要素が内在された単位画素から構成される色表示面のうち、所定の視認条件のもとでカラー画像を原稿と同様の色調に、又は、原稿と異なる色調に再現、表示するために必要とされる領域に機能性色材を重ね刷りすればよく、実際に使用される機能性色材は、太陽光、蛍光灯、白熱電球などの通常照明下では下地となる基本色要素が地色として表示されるべく無色透明な状態を示すが、所定の視認条件のもとでは下地となる基本色要素のみを表示できるものであればよく、例えば、特開昭５５―５８９６号、特開昭６０―２３４６４号、特開平３―１６６２７６号に開示されている紫外励起光下で発光する性質をもった、いわゆる無色蛍光インキ、燐光インキ、蓄光インキ等の色材を必要に応じて適宜、選択して用いればよい。
【００２０】
本発明の表示体は、所定の形状からなる一群の微小な基本色要素を隙間なく交互に配置した所望の階調を表現することができる単位画素から構成されており、且つ、表示すべき任意の色調のカラー画像の色情報に応じて単位画素ごとに基本色要素を布置できる構成となっているため、所望の階調をもった任意の色調のカラー画像が潜像となるように埋め込まれているにもかかわらず、通常の状態では反射光による混色（並置混色）のために全体として一様な色調を示す画像表示体となっている。
【００２１】
ところが、本発明の表示体では、表示すべきカラー画像を再現、表示するために必要とされない基本色要素を単位画素ごとに抽出し、且つ、所定の視認条件のもとでこれらの基本色要素を隠蔽することができるのであるから、表示すべきカラー画像を再現、表示するために必要とされる基本色要素を単位画素ごとに選択して表示せしめることができる。
【００２２】
また、本発明の表示体では、表示すべきカラー画像を再現、表示するために必要とされる基本色要素を単位画素ごとに抽出し、且つ、所定の視認条件のもとでこれらの基本色要素のみを表示できるのであるから、表示すべきカラー画像を再現、表示するために必要とされる基本色要素を単位画素ごとに選択して表示せしめることができる。
【００２３】
このため、本発明の表示体においては、所望の階調をもたせた任意の色調のカラー画像を通常の状態で表示体上に潜像となるように形成せしめ、且つ、所定の視認条件のもとで原稿と同様の色調となるように、又は、原稿と異なる色調となるように再現、表示せしめることができる。
【００２４】
ここで、本発明の表示体では、表示すべきカラー画像の階調の程度に応じて単位画素の大きさと単位画素を構成する基本色要素の種類、形状を自由に設定できるので、任意の色調のカラー画像を所望の階調をもたせて原稿と同様の色調に、又は、原稿と異なる色調に再現、表示せしめることができる。
【００２５】
そして、潜像として隠蔽されているカラー画像を所定の視認条件のもとで顕像として再現、表示させるプロセス、又は、所定の視認条件のもとで顕像として表示されているカラー画像を潜像として表示体の内部に隠蔽させるプロセスは、視認条件を変化させることで容易に、且つ、繰り返し実行できる。
【００２６】
更に、本発明では、カラーコピー機では解像することのできない程度の微小な基本色要素からなる単位画素によって表示体を構成し、且つ、表示すべき任意の色調のカラー画像の色情報に応じて布置された基本色要素を除く領域、あるいは、表示すべき任意の色調のカラー画像の色情報に応じて布置された基本色要素からなる領域に、たとえば通常の状態で無色透明の機能性色材を重ね刷りすることによって、カラーコピー機や写真製版による悪意の複製、偽造に対して強い抵抗力を備えることができる。
【００２７】
なお、表示すべきカラー画像を原稿と同様の色調に再現、表示するために必要とされない基本色要素の領域に、通常の状態で無色透明であるが所定の視認条件のもとで下地となる基本色要素を隠蔽する特性をもった機能性色材を付与し、且つ、原稿を適宜、所望の色調に変換したカラー入力画像を用いて、表示すべきカラー画像を原稿と異なる色調に再現、表示するために必要とされない基本色要素の領域に、通常の状態で無色透明であるが所定の視認条件のもとで下地となる基本色要素を隠蔽する特性をもった他の種類の機能性色材を付与すれば、使用された互いに異なる種類の機能性色材の性質に応じて視認条件を変化させるたびごとに、表示すべきカラー画像を原稿と同様の色調で、又は、原稿と異なる色調で可逆的に再現、表示することができる。ここで、ある単位画素を構成するいずれかの基本色要素の領域で互いに異なる種類の機能性色材が重畳して印刷されることになったとしても、機能性色材の性質に応じて視認条件を変化させるたびごとに、共通の画像情報を原稿と同様の色調で、又は、原稿と異なる色調で再現、表示せしめる機能に支障をもたらすものではない。
【００２８】
また、表示すべきカラー画像を原稿と同様の色調に再現、表示するために必要とされる基本色要素の領域に、通常の状態で無色透明であるが所定の視認条件のもとで下地となる基本色要素のみを表示する特性をもった機能性色材を付与し、且つ、原稿を適宜、所望の色調に変換したカラー入力画像を用いて、表示すべきカラー画像を原稿と異なる色調に再現、表示するために必要とされる基本色要素の領域に、通常の状態で無色透明であるが所定の視認条件のもとで下地となる基本色要素のみを表示する特性をもった他の種類の機能性色材を付与すれば、使用された互いに異なる種類の機能性色材の性質に応じて視認条件を変化させるたびごとに、表示すべきカラー画像を原稿と同様の色調で、又は、原稿と異なる色調で可逆的に再現、表示することができる。ここで、ある単位画素を構成するいずれかの基本色要素の領域で互いに異なる種類の機能性色材が重畳して印刷されることになったとしても、機能性色材の性質に応じて視認条件を変化させるたびごとに、共通の画像情報を原稿と同様の色調で、又は、原稿と異なる色調で再現、表示せしめる機能に支障をもたらすものではない。
【００２９】
このように、通常の状態で無色透明な状態を示す複数の種類の機能性色材を用いた表示体は、通常の状態で並置混色のために全体として一様な色調を示す表示体に過ぎないが、共通の画像情報を適宜、所望の色調に変換した複数の異なる色調のカラー入力画像を用いることによって、使用された複数の異なる種類の機能性色材の性質に応じて視認条件を変化させるたびごとに、共通の画像情報を複数の異なる色調で再現、表示させることができるため、共通の画像情報を複合的に活用しながら表示体のより正確な真偽判別をなし得る構造となっている。また、通常の状態では無色透明な状態を示すが所定の視認条件のもとでは互いに異なる特性を示す複数の種類の機能性色材を用いている場合は、カラーコピー機や写真製版による悪意の複製、偽造に対する抵抗力をより一層、強めることができる。
【００３０】
【実施例】
以下、本発明の実施例として、印刷画素によって構成される潜像を任意の色調のカラー画像として表示せしめる方法と表示体について、図面を参照しながら説明するが、本発明は必ずしもこれらの実施例に限定されるものではなく、被印刷基材の表面の状態及び表示すべきカラー画像の階調の程度や色調の情報に応じて基本色要素の種類、形状、配置、単位画素の大きさ、形状、構成、あるいは、使用される機能性色材の種類などを適宜、選択しながら、オフセット印刷、グラビア印刷、スクリーン印刷、凸版印刷等の通常の印刷方法、又は、レーザープリンター、ジェットプリンター、昇華転写、サーマル転写等の出力形態など使用される機能性色材に応じた印刷方式を採用して実施することができる。
【００３１】
なお、被印刷基材（１）としてセルロース系の基材を用いる場合には、表示すべきカラー画像を所望の階調と色調をもたせて正確に再現、表示せしめるためにも、所定の形状が必要とされる基本色要素（２、３、４）を印刷するインキ成分が被印刷基材（１）のセルロース繊維内に浸透することによって単位画素（８）の形状に歪みを生じることのないように、あらかじめ表面サイズをほどこした用紙やアート紙、コート紙などの塗工紙を選択して用いることが好ましい。
【００３２】
また、被印刷基材（１）としては、必ずしもセルロース系の基材に限定されるものではなく、プラスチック系のカード基材などを適宜、選択して用いることもできるが、その際に使用される機能性色材として、緑色発光蛍光インキなどのいわゆる無色蛍光インキを用いる場合には、無色蛍光インキが重ね刷りされている基本色要素の領域のみを所定の視認条件のもとで高輝度に発光させるためにも、蛍光増白剤を含まない被印刷基材を選択して用いることが好ましい。
【００３３】
（実施例１）
図２は、単位画素（８）によって再現、表示可能な階調レベルをＣ（シアン）、Ｍ（マゼンタ）、Ｙ（イエロー）の基本色要素ごとに４段階、すなわち、単位画素（８）によって再現、表示可能な全色調を  １２５（＝５×５×５）段階に設計した場合を示したものであって、被印刷基材（１）（東レ社製、商品名「ルミラー」）上に、たとえば通常のオフセット印刷や凸版印刷等によって正六角形の形状のＣ、Ｍ、Ｙの微小な基本色要素（２、３、４）から構成された太枠部に相当する単位画素（８）を隙間なく配置して色表示面を作製し、且つ、所定の視認条件のもとで原稿と同様の色調でカラー画像を再現、表示せしめるために必要とされないＣ、Ｍ、Ｙの基本色要素（５、６、７）の領域に、通常の状態で無色透明であるが所定の視認条件のもとで下地となる基本色要素（５、６、７）を隠蔽する程度に白濁する特性をもった機能性色材である熱可逆性材料（９）をスクリーン印刷等によって重ね刷りした印刷物とその部分拡大図を示したものである。
【００３４】
ここで、単位画素（８）内で機能性色材である熱可逆性材料（９）が重ね刷りされるべきＣ、Ｍ、Ｙの基本色要素（５、６、７）を求めるにあたっては、色座標点圧縮アルゴリズムによって、単位画素（８）内で実現可能な図３に示す  １２５（＝５×５×５）通りのＣ、Ｍ、Ｙの基本色要素の組み合わせの中から、所定の視認条件のもとで原稿と同様の色調で再現、表示すべきカラー画像の任意の座標点における色情報に対応するフルカラー色空間内の色座標点との距離によって示される色差△Ｅを最小とならしめるように、単位画素（８）内のＣ、Ｍ、Ｙの基本色要素の組み合わせを選択した上で、任意の色座標値展開アルゴリズムによって、単位画素（８）内で展開された前記Ｃ、Ｍ、Ｙの基本色要素の組み合わせの布置を除く領域を求めればよい。こうした一連のアルゴリズムをフローチャートとして図示したものが図４であり、このうち色座標点圧縮部の演算処理を図示したものが図５である。
【００３５】
図４には、所定の形状からなる一群の微小な基本色要素ｅが隙間なく交互に配置された所望の階調を表現することのできる単位画素Ｅによって構成された色表示面Ｏにおいて、カラー入力画像の任意の座標点Ｐｋ  における色情報に対応するフルカラー色空間Ｆ内の色座標点Ｃ（Ｐｋ）  との距離によって示される色差△Ｅｌ  が最小となるように、色座標点圧縮部によって単位画素Ｅが構築する有限個の色座標点を持つ色空間Ｌ内で近似的な色座標点Ｅ（Ｐｋ）ｌを求め、色座標値展開部によって前記Ｅ（Ｐｋ）ｌの色座標値を色表示面Ｏ上に表示可能な基本色要素ｅの布置として展開し、基本色要素ｅの布置を除く色表示面Ｏの領域に通常の状態では無色透明で所定の視認条件のもとで下地となる基本色要素ｅを隠蔽する色材Ｚを付与するか、あるいは、基本色要素ｅの布置からなる色表示面Ｏの領域に通常の状態では無色透明で所定の視認条件のもとで下地となる基本色要素ｅのみを表示する色材Ｚを付与する本発明のフローチャートが示されているが、実施例１においては、基本色要素ｅの布置を除く色表示面Ｏの領域に通常の状態では無色透明で所定の視認条件のもとで下地となる基本色要素ｅを隠蔽する色材Ｚを付与すればよい。
【００３６】
図５には、カラー入力画像の任意の座標点Ｐｋ  における色情報に対応するフルカラー色空間Ｆ内の色座標点Ｃ（Ｐｋ）  との距離によって示される色差△Ｅｌ  が最小となるように、単位画素Ｅが構築する有限個の色座標点を持つ色空間Ｌ内で近似的な色座標点Ｅ（Ｐｋ）ｌを求める処理を前記入力画像の全ての座標点にわたっておこなう色座標点圧縮部の演算処理が示されている。
【００３７】
なお、図６は、図２に示す印刷物のＸ―Ｘ方向の断面図を示したものであり、図７は、所定の視認条件のもとでカラー画像を原稿と同様の色調に再現、表示せしめた状態の図２に相当する印刷物とその部分拡大図を示したものである。
【００３８】
図２に示す印刷物は、太陽光、蛍光灯、白熱電球等の通常の光源下では並置混色のために全体として褐色の一様な色調をもった印刷物に過ぎないが、９０℃〜  １３０℃に一様に加熱したプレートを被印刷基材（１）の裏面から２０〜３０秒間あてがったのちに常温まで冷却すれば、図７に示すように、基本色要素（５、６、７）の領域に重ね刷りされた通常の状態で無色透明な機能性色材である熱可逆性材料（９）が白濁して基本色要素（５、６、７）を隠蔽する状態となり、機能性色材（９）を重ね刷りされていないＣ、Ｍ、Ｙの基本色要素（２、３、４）から構成される原稿と同様の色調をもったカラー画像が白地の背景部（１０）とともに再現、表示された。
【００３９】
また、図７に示す状態の印刷物を  １００℃〜  １２０℃に再び加熱して常温まで冷却すれば、所定の視認条件のもとで原稿と同様の色調でカラー画像を再現、表示せしめるために必要とされないＣ、Ｍ、Ｙの基本色要素（５、６、７）の領域に重ね刷りされた機能性色材である熱可逆性材料（９）は、白濁した状態から再び無色透明な状態に戻り、通常の状態で全体として褐色の一様な色調をもった図２に示す印刷物を再び得ることができた。このように、潜像を顕像として表示させるプロセス、顕像を潜像として隠蔽させるプロセスは、いずれも可逆的に必要に応じて適宜、実行することができた。
【００４０】
更に、図８は、図２に示す表示体（２０）を少なくとも一部に有するＩＤカード（２１）を示したものであるが、使用した機能性色材の特性に応じた所定の視認条件のもとで上述した作用、効果を奏することが容易に確認できた。
【００４１】
（実施例２）
図９は、単位画素（８）によって再現、表示可能な階調レベルをＣ（シアン）、Ｍ（マゼンタ）、Ｙ（イエロー）の基本色要素ごとに３段階、すなわち、単位画素（８）によって再現、表示可能な全色調を６４（＝４×４×４）段階に設計した場合を示したものであって、被印刷基材（１）（山陽国策パルプ社製、商品名「銀環」）上に実施例１と同様の方法によって正六角形の形状のＣ、Ｍ、Ｙの微小な基本色要素（２、３、４）から構成された太枠部に相当する単位画素（８）を隙間なく配置して色表示面を作製し、且つ、所定の視認条件のもとで原稿と同様の色調でカラー画像を再現、表示せしめるために必要とされるＣ、Ｍ、Ｙの基本色要素（１１、１２、１３）の領域に、通常の状態で無色透明であるが所定の視認条件のもとで下地となる基本色要素（１１、１２、１３）のみを表示する程度に発光する特性をもった機能性色材（緑色発光蛍光インキ）（１４）を実施例１と同様の方法によって重ね刷りした印刷物とその部分拡大図を示したものである。
【００４２】
ここで、単位画素（８）内で機能性色材（緑色発光蛍光インキ）（１４）が重ね刷りされるべきＣ、Ｍ、Ｙの基本色要素（１１、１２、１３）を求めるにあたっては、実施例１と同様の色座標点圧縮アルゴリズムによって、単位画素（８）内で実現可能な図１０に示す６４（＝４×４×４）通りのＣ、Ｍ、Ｙの基本色要素の組み合わせの中から、所定の視認条件のもとで原稿と同様の色調に再現、表示すべきカラー画像の任意の座標点における色情報に対応するフルカラー色空間内の色座標点との距離によって示される色差△Ｅを最小とならしめるように、単位画素（８）内のＣ、Ｍ、Ｙの基本色要素の組み合わせを選択した上で、実施例１と同様に任意の色座標値展開アルゴリズムによって、単位画素（８）内で展開された前記Ｃ、Ｍ、Ｙの基本色要素の組み合わせの布置からなる領域を求めればよい。
【００４３】
なお、図１１は、図９に示す印刷物のＸ―Ｘ方向の断面図を示したものであり、図１２は、所定の視認条件のもとでカラー画像を原稿と同様の色調に再現、表示せしめた状態の図９に相当する印刷物とその部分拡大図を示したものである。
【００４４】
図９に示される印刷物は、太陽光、蛍光灯、白熱電球等の通常の光源下では全体として褐色の一様な色調をもった印刷物に過ぎないが、市販のブラックライト照射装置により紫外線を照射すれば、図１２に示すように、通常の状態で無色透明である機能性色材（緑色発光蛍光インキ）（１４）を重ね刷りした基本色要素（１１、１２、１３）の領域のみが基本色要素（１１、１２、１３）を表示できる程度に発光する状態となり、機能性色材（１４）を重ね刷りされているＣ、Ｍ、Ｙの基本色要素（１１、１２、１３）から構成される原稿とほぼ同様の色調をもったカラー画像が発光しない黒地の背景部（１５）とともに再現、表示された。
【００４５】
ここで、単位画素（８）内のＹの基本色要素（４）は、下地となる基本色要素を表示せしめるための機能性色材（緑色発光蛍光インキ）（１４）が重ね刷りされているといないとにかかわらず、市販のブラックライト照射装置による紫外線の照射によって通常、それ自体が微妙にＹの色情報を伴って発光してしまうことが多いので、紫外線の照射によってＹの色情報を伴って発光することのない特性をもったインキを選択してＹの基本色要素（４）を印刷するか、あるいは、あらかじめ単位画素（８）の構成要素としてのＹの基本色要素（４）を色表示面の全体にわたって白抜き状態となるように除いておき、所定の視認条件のもとでカラー画像を所望の色調で再現、表示するためにＹの色情報が必要とされる単位画素では、その単位画素内の白抜き状態の領域に通常の状態で無色透明であるが紫外線の照射によってＹの色情報を伴って発光する特性をもった機能性色材（黄色発光蛍光インキ）（１６）を付与しておくことが好ましい。
【００４６】
図１３は、色表示面の全体にわたって単位画素（８）を構成するＹの基本色要素（４）を白抜き状態とし、カラー画像を原稿と同様の色調で再現、表示せしめるために必要とされるＣ、Ｍの基本色要素（１１、１２）に、通常の状態で無色透明であるが所定の視認条件のもとで下地となる基本色要素（１１、１２）のみを表示する特性をもった機能性色材（緑色発光蛍光インキ）（１４）を重ね刷りし、且つ、カラー画像を原稿と同様の色調で再現、表示せしめるために必要とされる単位画素内の白抜き状態の領域に、通常の状態で無色透明であるが所定の視認条件のもとでＹの色情報を伴って発光する特性をもった機能性色材（黄色発光蛍光インキ）（１６）を付与した印刷物とその部分拡大図を示したものである。また、図１４は、図１３に示す印刷物のＸ―Ｘ方向の断面図を示したものであり、図１５は、所定の視認条件のもとでカラー画像を原稿と同様の色調に再現、表示せしめた状態の図１３に相当する印刷物とその部分拡大図を示したものである。
【００４７】
図１３に示される印刷物は、太陽光、蛍光灯、白熱電球等の通常の光源下では全体として紫色の一様な色調をもった印刷物に過ぎないが、市販のブラックライト照射装置により紫外線を照射すれば、図１５に示すように、通常の状態で無色透明である機能性色材（緑色発光蛍光インキ）（１４）を重ね刷りした基本色要素（１１、１２）がそれぞれ発光し、且つ、機能性色材（黄色発光蛍光インキ）（１６）を付与された単位画素内の白抜き状態の領域がＹの色情報を伴って発光する状態となり、原稿とほぼ同様の色調をもったカラー画像が発光しない黒地の背景部（１５）とともに再現、表示された。
【００４８】
また、図１２に示す状態の印刷物に対して、市販のブラックライト照射装置による紫外線の照射を中止すれば、通常の状態で全体として褐色の一様な色調をもった図９に示す印刷物を再び得ることができた。
【００４９】
同様に、図１５に示す状態の印刷物に対して、市販のブラックライト照射装置による紫外線の照射を中止すれば、通常の状態で全体として紫色の一様な色調をもった図１３に示す印刷物を再び得ることができた。
【００５０】
このように、潜像を顕像として表示させるプロセス、顕像を潜像として隠蔽させるプロセスは、いずれも市販のブラックライト照射装置による紫外線の照射の有無に応じて可逆的に適宜、実行することができた。
【００５１】
更に、図１６は、図９に示す表示体（２２）を少なくとも一部に有するＩＤカード（２１）を示したものであるが、使用した機能性色材の特性に応じた所定の視認条件のもとで上述した作用、効果を容易に奏することが確認できた。
【００５２】
（実施例３）
図１７は、被印刷基材（１）（東レ社製、商品名「ルミラー」）上に実施例１と同様の方法によって正六角形の形状のＣ（シアン）、Ｍ（マゼンタ）、Ｙ（イエロー）の微小な基本色要素（２、３、４）から構成された太枠部に相当する単位画素（８）を隙間なく配置することで色表示面を作製した上、所定の視認条件のもとで原稿と異なる色調でカラー画像を再現、表示せしめるために必要とされないＣ、Ｍ、Ｙの基本色要素（１７、１８、１９）の領域に、通常の状態で無色透明であるが所定の視認条件のもとで下地となる基本色要素（１７、１８、１９）を隠蔽する程度に白濁する特性をもった機能性色材である熱可逆性材料（９）を実施例１と同様の方法によって重ね刷りし、且つ、所定の視認条件のもとで原稿と同様の色調でカラー画像を再現、表示せしめるために必要とされるＣ、Ｍ、Ｙの基本色要素（１１、１２、１３）の領域に、通常の状態で無色透明であるが所定の視認条件のもとで下地となる基本色要素（１１、１２、１３）のみを表示する程度に発光する特性をもった機能性色材（緑色発光蛍光インキ）（１４）を実施例２と同様の方法によって重ね刷りした印刷物とその部分拡大図を示したものである。
【００５３】
ここで、単位画素（８）内で機能性色材である熱可逆性材料（９）が重ね刷りされるべきＣ、Ｍ、Ｙの基本色要素（１７、１８、１９）を求めるにあたっては、実施例１と同様の色座標点圧縮アルゴリズムによって、単位画素（８）内で実現可能な図１８に示す２７（＝３×３×３）通りのＣ、Ｍ、Ｙの基本色要素の組み合わせの中から、原稿を適宜、所望の色調に変換したカラー入力画像を用いて、所定の視認条件のもとで原稿と異なる色調で再現、表示すべきカラー画像の任意の座標点における色情報に対応するフルカラー色空間内の色座標点との距離によって示される色差△Ｅを最小とならしめるように、単位画素（８）内のＣ、Ｍ、Ｙの基本色要素の組み合わせを選択した上で、実施例１と同様に任意の色座標値展開アルゴリズムによって、単位画素（８）内で展開された前記Ｃ、Ｍ、Ｙの基本色要素の組み合わせの布置を除く領域を求めればよい。
【００５４】
また、単位画素（８）内で機能性色材（緑色発光蛍光インキ）（１４）が重ね刷りされるべきＣ、Ｍ、Ｙの基本色要素（１１、１２、１３）を求めるにあたっては、実施例１と同様の色座標点圧縮アルゴリズムによって、単位画素（８）内で実現可能な図１８に示す２７（＝３×３×３）通りのＣ、Ｍ、Ｙの基本色要素の組み合わせの中から、所定の視認条件のもとで原稿と同様の色調に再現、表示すべきカラー画像の任意の座標点における色情報に対応するフルカラー色空間内の色座標点との距離によって示される色差△Ｅを最小とならしめるように、単位画素（８）内のＣ、Ｍ、Ｙの基本色要素の組み合わせを選択した上で、実施例１と同様に任意の色座標値展開アルゴリズムによって、単位画素（８）内で展開された前記Ｃ、Ｍ、Ｙの基本色要素の組み合わせの布置からなる領域を求めればよい。
【００５５】
なお、図１９は、図１７に示す印刷物のＸ―Ｘ方向の断面図を示したものであり、図２０は、所定の視認条件のもとでカラー画像を原稿と異なる色調に、図２１は、所定の視認条件のもとでカラー画像を原稿と同様の色調に再現、表示せしめた状態の図１７に示す印刷物とその部分拡大図を示したものである。ここで、図１９に示すように単位画素（８）を構成するいくつかのＣ、Ｍ、Ｙの基本色要素の領域で、通常の状態で無色透明であるが所定の視認条件のもとで基本色要素（１７、１８、１９）を隠蔽する程度に白濁する特性をもった機能性色材である熱可逆性材料（９）、通常の状態で無色透明であるが所定の視認条件のもとで基本色要素（１１、１２、１３）のみを表示する程度に発光する特性をもった機能性色材（緑色発光蛍光インキ）（１４）が重畳して印刷されていたとしても、カラー画像を所定の視認条件のもとで所望の色調に再現、表示せしめる機能に支障をもたらすものではない。
【００５６】
ここで、部分的に互いに重畳して印刷されるべき２種類の機能性色材（９）と（１４）を付与せしめる順序は、それぞれの機能性色材がもつ熱又は光エネルギー受理性や下地に形成された基本色要素のインキ層との親和性などを考慮しながら適宜、選択すればよい。
【００５７】
図１７に示される印刷物は、太陽光、蛍光灯、白熱電球等の通常の光源下では全体として褐色の一様な色調をもった印刷物に過ぎないが、９０℃〜  １３０℃に一様に加熱したプレートを被印刷基材（１）の裏面から２０〜３０秒間あてがったのちに常温まで冷却すれば、図２０に示すように、基本色要素（１７、１８、１９）の領域に重ね刷りされた通常の状態で無色透明な機能性色材である熱可逆性材料（９）が白濁して基本色要素（１７、１８、１９）を隠蔽する状態となり、機能性色材である熱可逆性材料（９）を重ね刷りされていないＣ、Ｍ、Ｙの基本色要素から構成される原稿と異なる色調をもったカラー画像が白地の背景部（１０）とともに再現、表示された。
【００５８】
また、図２０に示す状態の印刷物を１００℃〜１２０℃以上に再び加熱して常温まで冷却すれば、所定の視認条件のもとで原稿と異なる色調でカラー画像を再現、表示せしめるために必要とされないＣ、Ｍ、Ｙの基本色要素（１７、１８、１９）の領域に重ね刷りされた機能性色材である熱可逆性材料（９）は、白濁した状態から再び無色透明な状態に戻り、通常の状態で全体として褐色の一様な色調をもった図１７に示す印刷物を再び得ることができた。
【００５９】
図１７に示される印刷物は、太陽光、蛍光灯、白熱電球等の通常の光源下では全体として褐色の一様な色調をもった印刷物に過ぎないが、市販のブラックライト照射装置により紫外線を照射すれば、図２１に示すように、通常の状態で無色透明である機能性色材（緑色発光蛍光インキ）（１４）を重ね刷りした基本色要素（１１、１２、１３）の領域のみが基本色要素（１１、１２、１３）を表示できる程度に発光する状態となり、機能性色材（１４）を重ね刷りされているＣ、Ｍ、Ｙの基本色要素（１１、１２、１３）から構成される原稿とほぼ同様の色調をもったカラー画像が発光しない黒地の背景部（１５）とともに再現、表示された。
【００６０】
また、図２１に示す状態の印刷物に対して、市販のブラックライト照射装置による紫外線の照射を中止すれば、通常の状態で全体として褐色の一様な色調をもった図１７に示す印刷物を再び得ることができた。
【００６１】
このように、共通の画像情報を視認条件の変化に応じて複数の色調で顕像として表示させるプロセス、表示させた顕像を潜像として隠蔽させるプロセスは、視認条件の変化に応じて可逆的に適宜、実行することができた。
【００６２】
ただし、図１３に示す場合と同様に、単位画素（８）内のＹの基本色要素（４）は、下地となる基本色要素を表示せしめるための機能性色材（緑色発光蛍光インキ）（１４）が重ね刷りされているといないとにかかわらず、市販のブラックライト照射装置による紫外線の照射によって通常、それ自体が微妙にＹの色情報を伴って発光してしまうことが多いので、紫外線の照射によってＹの色情報を伴って発光することのない特性をもったインキを選択してＹの基本色要素（４）を印刷するか、あるいは、あらかじめ単位画素（８）の構成要素としてのＹの基本色要素（４）を色表示面の全体にわたって白抜き状態となるように除いておき、所定の視認条件のもとでカラー画像を所望の色調で再現、表示するためにＹの色情報が必要とされる単位画素では、その単位画素内の白抜き状態の領域に通常の状態で無色透明であるが紫外線の照射によってＹの色情報を伴って発光する特性をもった機能性色材（黄色発光蛍光インキ）（１６）を付与しておくことが好ましい。
【００６３】
更に、図２２は、図１７に示す表示体（２３）を少なくとも一部に有するＩＤカード（２１）を示したものであるが、使用した機能性色材の特性に応じた所定の視認条件のもとで上述した作用、効果を容易に奏することが確認できた。
【００６４】
【発明の効果】
本発明は、これまでに説明した特徴と構成を備えているので、以下に示すような従来にない顕著な作用、効果を奏する。
【００６５】
あらかじめ所定の形状の微小な基本色要素が隙間なく交互に配置された所望の階調を表現することのできる単位画素ごとに、表示すべきカラー画像の色情報に応じて基本色要素を布置として展開し、且つ、布置された基本色要素を除く領域、あるいは、布置された基本色要素からなる領域に通常の状態では無色透明な状態を示す機能性色材を付与することによって、通常の状態では反射光による並置混色のために全体として一様な色調を示す表示体を作製することができ、表示すべきカラー画像を隠蔽された秘密の情報となるように潜像として内部に埋め込んだ表示体を作製することができる。
【００６６】
表示すべきカラー画像の階調の程度に応じた所定の形状の基本色要素からなる単位画素によって表示体を構成しているので、表示すべきカラー画像を所定の視認条件のもとで所望の階調をもたせて再現、表示することができる。
【００６７】
表示すべきカラー画像を原稿と同様の色調に再現、表示することができるように単位画素ごとに布置された基本色要素を除く領域に、通常の状態で無色透明であるが所定の視認条件のもとで下地となる基本色要素を隠蔽する特性をもった機能性色材を付与し、且つ、表示すべきカラー画像を原稿と同様の色調に再現、表示することができるように単位画素ごとに布置された基本色要素からなる領域に、通常の状態で無色透明であるが所定の視認条件のもとで下地となる基本色要素のみを表示する特性をもった他の種類の機能性色材を付与すれば、使用された複数の異なる種類の機能性色材の性質に応じて視認条件を変化させるたびごとに、表示すべきカラー画像を原稿と同様の色調に再現、表示することができる。
【００６８】
表示すべきカラー画像を原稿と同様の色調に再現、表示することができるように単位画素ごとに布置された基本色要素を除く領域に、通常の状態で無色透明であるが所定の視認条件のもとで下地となる基本色要素を隠蔽する特性をもった機能性色材を付与し、且つ、原稿を適宜、所望の色調に変換したカラー入力画像を用いて、表示すべきカラー画像を原稿と異なる色調で再現、表示することができるように単位画素ごとに布置された基本色要素を除く領域に、通常の状態で無色透明であるが所定の視認条件のもとで下地となる基本色要素を隠蔽する特性をもった他の種類の機能性色材を付与すれば、使用された複数の異なる種類の機能性色材の性質に応じて視認条件を変化させるたびごとに、表示すべきカラー画像を原稿と同様の色調で、又は、原稿と異なる色調で再現、表示することができる。
【００６９】
表示すべきカラー画像を原稿と同様の色調に再現、表示することができるように単位画素ごとに布置された基本色要素を除く領域に、通常の状態で無色透明であるが所定の視認条件のもとで下地となる基本色要素を隠蔽する特性をもった機能性色材を付与し、且つ、原稿を適宜、所望の色調に変換したカラー入力画像を用いて、表示すべきカラー画像を原稿と異なる色調で再現、表示することができるように単位画素ごとに布置された基本色要素からなる領域に、通常の状態で無色透明であるが所定の視認条件のもとで下地となる基本色要素のみを表示する特性をもった他の種類の機能性色材を付与すれば、使用された複数の異なる種類の機能性色材の性質に応じて視認条件を変化させるたびごとに、表示すべきカラー画像を原稿と同様の色調で、又は、原稿と異なる色調で再現、表示することができる。
【００７０】
表示すべきカラー画像を原稿と同様の色調に再現、表示することができるように単位画素ごとに布置された基本色要素からなる領域に、通常の状態で無色透明であるが所定の視認条件のもとで下地となる基本色要素のみを表示する特性をもった機能性色材を付与し、且つ、原稿を適宜、所望の色調に変換したカラー入力画像を用いて、表示すべきカラー画像を原稿と異なる色調で再現、表示することができるように単位画素ごとに布置された基本色要素からなる領域に、通常の状態で無色透明であるが所定の視認条件のもとで下地となる基本色要素のみを表示する特性をもった他の種類の機能性色材を付与すれば、使用された複数の異なる種類の機能性色材の性質に応じて視認条件を変化させるたびごとに、表示すべきカラー画像を原稿と同様の色調で、又は、原稿と異なる色調で再現、表示することができる。
【００７１】
表示すべきカラー画像を原稿と同様の色調に再現、表示することができるように単位画素ごとに布置された基本色要素からなる領域に、通常の状態で無色透明であるが所定の視認条件のもとで下地となる基本色要素のみを表示する特性をもった機能性色材を付与し、且つ、原稿を適宜、所望の色調に変換したカラー入力画像を用いて、表示すべきカラー画像を原稿と異なる色調で再現、表示することができるように布置された基本色要素を除く領域に、通常の状態で無色透明であるが所定の視認条件のもとで下地となる基本色要素を隠蔽する特性をもった他の種類の機能性色材を付与すれば、使用された複数の異なる種類の機能性色材の性質に応じて視認条件を変化させるたびごとに、表示すべきカラー画像を原稿と同様の色調で、又は、原稿と異なる色調で再現、表示することができる。
【００７２】
原稿を適宜、所望の色調に変換したカラー入力画像を用いて、表示すべきカラー画像を原稿と異なる色調に再現、表示することができるように単位画素ごとに布置された基本色要素からなる領域に、通常の状態で無色透明であるが所定の視認条件のもとで下地となる基本色要素のみを表示する特性をもった機能性色材を付与し、且つ、原稿を前記色調と異なる所望の色調に変換したカラー入力画像を用いて、表示すべきカラー画像を原稿と異なる色調で再現、表示することができるように布置された基本色要素を除く領域に、通常の状態で無色透明であるが所定の視認条件のもとで下地となる基本色要素を隠蔽する特性をもった他の種類の機能性色材を付与すれば、使用された複数の異なる種類の機能性色材の性質に応じて視認条件を変化させるたびごとに、表示すべきカラー画像を原稿と異なる複数の種類の色調で再現、表示することができる。
【００７３】
なお、使用された複数の種類の機能性色材の性質に応じて視認条件を変化させるたびごとに色表示面Ｏ上に再現、表示されるカラー画像が、互いに同一の形状をもったカラー画像として互いに異なる領域に再現、表示されるようにすることも可能であるし、あるいは、互いに異なる形状をもったカラー画像として互いに異なる領域に再現、表示されるようにすることも可能である。この場合、視認条件を変化させるたびごとに色表示面Ｏ上に再現、表示されるカラー画像が、互いに同一の色調となるようにすることも可能であるし、あるいは、互いに異なる色調となるようにすることも可能である。
【００７４】
本発明に示された表示体では、カラーコピー機では解像することのできない程度の所定の形状の微小な基本色要素によって単位画素が構成されており、且つ、通常の状態で無色透明な機能性色材が重ね刷りされているので、カラーコピー機や写真製版による悪意の複製、偽造に対して強い抵抗力が付与されている。
【００７５】
本発明に示された表示体では、使用された機能性色材の性質に応じて視認条件を変化させることによって、潜像として表示体の内部に隠蔽されている任意の色調のカラー画像を顕像として繰り返し再現、表示せしめることができるので、表示体の真偽判別を容易に、且つ、正確に行うことができる。
【００７６】
また、本発明に示された表示体では、使用された機能性色材の性質に応じて視認条件を変化させることによって、潜像として表示体の内部に隠蔽されている画像情報を複数の種類の色調で再現、表示せしめることができるので、表示体の真偽判別を複合的に行うことができる。
【図面の簡単な説明】
【図１】本発明の表示体にかかる画像入力方法、画像表示方法を図示した説明図
【図２】印刷画素によって構成された潜像を原稿と同様の色調のカラー画像として表示せしめる表示体とその部分拡大図
【図３】基本色要素の組み合わせにより表示可能な単位画素の色空間を示す図
【図４】本発明の表示体を作製するための一連のアルゴリズムをフローチャートとして示した図
【図５】図４に示すフローチャートのうち色座標点圧縮部の演算処理を示した図
【図６】印刷画素によって構成された潜像を原稿と同様の色調のカラー画像として表示せしめる表示体とそのＸ―Ｘ方向の断面図
【図７】印刷画素によって構成された潜像を原稿と同様の色調のカラー画像として表示せしめた表示体とその部分拡大図
【図８】印刷画素によって構成された潜像を熱線の照射によって原稿と同様の色調のカラー画像として表示せしめる表示体を少なくとも一部に有するＩＤカードを示した図
【図９】印刷画素によって構成された潜像を原稿と同様の色調のカラー画像として表示せしめる表示体とその部分拡大図
【図１０】基本色要素の組み合わせにより表示可能な単位画素の色空間を示す図
【図１１】印刷画素によって構成された潜像を原稿と同様の色調のカラー画像として表示せしめる表示体とそのＸ―Ｘ方向の断面図
【図１２】印刷画素によって構成された潜像を原稿と同様の色調のカラー画像として表示せしめた表示体とその部分拡大図
【図１３】印刷画素によって構成された潜像を原稿と同様の色調のカラー画像として表示せしめる表示体とその部分拡大図
【図１４】印刷画素によって構成された潜像を原稿と同様の色調のカラー画像として表示せしめる表示体とそのＸ―Ｘ方向の断面図
【図１５】印刷画素によって構成された潜像を原稿と同様の色調のカラー画像として表示せしめた表示体とその部分拡大図
【図１６】印刷画素によって構成された潜像を紫外線の照射によって原稿と同様の色調のカラー画像として表示せしめる表示体を少なくとも一部に有するＩＤカードを示した図
【図１７】印刷画素によって構成された潜像を原稿と異なる色調のカラー画像として、又は、原稿と同様の色調のカラー画像として表示せしめる表示体とその部分拡大図
【図１８】基本色要素の組み合わせにより表示可能な単位画素の色空間を示す図
【図１９】印刷画素によって構成された潜像を原稿と異なる色調のカラー画像として、又は、原稿と同様の色調のカラー画像として表示せしめる表示体とそのＸ−Ｘ方向の断面図
【図２０】印刷画素によって構成された潜像を原稿と異なる色調のカラー画像として表示せしめた表示体とその部分拡大図
【図２１】印刷画素によって構成された潜像を原稿と同様の色調のカラー画像として表示せしめた表示体とその部分拡大図
【図２２】印刷画素によって構成された潜像を熱線の照射によって原稿と異なる色調のカラー画像として、又は、紫外線の照射によって原稿と同様の色調のカラー画像として表示せしめる表示体を少なくとも一部に有するＩＤカードを示した図
【符号の説明】
１  被印刷基材
２  シアン（Ｃ）インキからなる基本色要素
３  マゼンタ（Ｍ）インキからなる基本色要素
４  イエロー（Ｙ）インキからなる基本色要素
５  所定の視認条件のもとで原稿と同様の色調でカラー画像を再現、表示せしめるために必要とされないシアン（Ｃ）インキからなる基本色要素
６  所定の視認条件のもとで原稿と同様の色調でカラー画像を再現、表示せしめるために必要とされないマゼンタ（Ｍ）インキからなる基本色要素
７  所定の視認条件のもとで原稿と同様の色調でカラー画像を再現、表示せしめるために必要とされないイエロー（Ｙ）インキからなる基本色要素
８  シアン（Ｃ）、マゼンタ（Ｍ）、イエロー（Ｙ）の基本色要素を隙間なく交互に配置した所望の階調を表現することのできる単位画素
９  所定の視認条件のもとで下地となる基本色要素（Ｃ、Ｍ、Ｙ）を隠蔽する性質をもった機能性色材
１０  所定の視認条件のもとで下地となる基本色要素（Ｃ、Ｍ、Ｙ）を隠蔽する程度に発色した機能性色材の色調（Ｗ）が示される基本色要素
１１    所定の視認条件のもとで原稿と同様の色調でカラー画像を再現、表示せしめるために必要とされるシアン（Ｃ）インキからなる基本色要素
１２    所定の視認条件のもとで原稿と同様の色調でカラー画像を再現、表示せしめるために必要とされるマゼンタ（Ｍ）インキからなる基本色要素
１３    所定の視認条件のもとで原稿と同様の色調でカラー画像を再現、表示せしめるために必要とされるイエロー（Ｙ）インキからなる基本色要素
１４    所定の視認条件のもとで下地となる基本色要素（Ｃ、Ｍ、Ｙ）を表示する性質をもった機能性色材
１５    所定の視認条件のもとで下地となる基本色要素（Ｃ、Ｍ、Ｙ）が表示されずに黒地（Ｋ）となって表示される基本色要素
１６    通常の状態で無色透明であるが、所定の視認条件のもとでＹの色情報を伴って発光する特性をもった機能性色材
１７    所定の視認条件のもとで原稿と異なる色調でカラー画像を再現、表示せしめるために必要とされないシアン（Ｃ）インキからなる基本色要素
１８    所定の視認条件のもとで原稿と異なる色調でカラー画像を再現、表示せしめるために必要とされないマゼンタ（Ｍ）インキからなる基本色要素
１９  所定の視認条件のもとで原稿と異なる色調でカラー画像を再現、表示せしめるために必要とされないイエロー（Ｙ）インキからなる基本色要素
２０  印刷画素によって構成された潜像を熱線の照射によって原稿と同様の色調のカラー画像として表示せしめる表示体
２１  ＩＤカード
２２    印刷画素によって構成された潜像を紫外線の照射によって原稿と同様の色調のカラー画像として表示せしめる表示体
２３    印刷画素によって構成された潜像を熱線の照射によって原稿と異なる色調のカラー画像として、又は、紫外線の照射によって原稿と同様の色調のカラー画像として表示せしめる表示体
【図１】
0003567184.tif 000002
【図２】
0003567184.tif 000003
【図３】
0003567184.tif 000004
【図４】
0003567184.tif 000005
【図５】
0003567184.tif 000006
【図６】
0003567184.tif 000007
【図７】
0003567184.tif 000008
【図８】
0003567184.tif 000009
【図９】
0003567184.tif 000010
【図１０】
0003567184.tif 000011
【図１１】
0003567184.tif 000012
【図１２】
0003567184.tif 000013
【図１３】
0003567184.tif 000014
【図１４】
0003567184.tif 000015
【図１５】
0003567184.tif 000016
【図１６】
0003567184.tif 000017
【図１７】
0003567184.tif 000018
【図１８】
0003567184.tif 000019
【図１９】
0003567184.tif 000020
【図２０】
0003567184.tif 000021
【図２１】
0003567184.tif 000022
【図２２】
0003567184.tif 000023